(57)【要約】【課題】画像投射孔に開閉自在なシャッタを備えたプロジェクタにおいて、ユーザがシャッタを閉じさえすればランプが消灯されると共に電源の供給も停止されて便利である上に、ランプの消灯後のクールダウン動作も確実に行う。【解決手段】ＡＣ電源８と電源回路１２を接続する回路に設けた機械的スイッチ２１をシャッタ５に直接連結し、シャッタ５の開閉によって機械的スイッチ２１がオンオフするように構成する。ＡＣ電源８と電源回路１２間には、制御部１１によってオンオフが切替えられる電子スイッチ２２を有するバイパス回路２４を設ける。シャッタ５の開閉状態が、機械的スイッチ２１のオンオフ状態信号として制御部１１へ入力されるように構成し、制御部１１は、シャッタ５が閉じられたことを検知すると、ランプ６を消灯し、クールダウン動作を開始する。クールダウン動作が終了すると電子スイッチ２２をオフし、ＡＣ電源８の供給を停止する。【選択図】図１
2007171885.tif 000002
【特許請求の範囲】
【請求項１】
外部から入力される画像データとランプからの光に基づいて実画像を形成する画像形成手段と、
前記画像形成手段により形成された実画像を前方のスクリーン上に投射する画像投射手段と、
前記ランプを冷却するためのファンと、
前記画像投射手段による投射光が出射される筐体に開けられた投射孔と、
前記投射孔に設けられユーザによって開閉されるシャッタと、
コンセントからのＡＣ電源を所定の電圧に変換して前記画像形成手段、画像投射手段及び前記ファンに供給する電源回路と、
前記ランプの点灯・消灯を制御すると共に前記ファンの回転・停止を制御し、前記ランプを消灯した後に前記ファンを継続して回転させてランプのクールダウン動作を行わせる制御部と、
前記コンセントからのＡＣ電源の前記電源回路へのオンオフを切替える機械的スイッチと、
前記機械的スイッチがオンに切替えられて前記電源回路にコンセントからのＡＣ電源が供給されている状態で、リモコン又は本体に設けられたモード切替キーからのモード切替信号を検知したときに、前記ランプが点灯された通常モードと、前記ランプが消灯されたスタンバイモードとの間で状態を切替えるモード切替手段とを備え、
前記機械的スイッチがオフに切替えられたとき、及び前記モード切替手段によってスタンバイモードに切替えられたときに、前記制御部によって前記ランプのクールダウン動作が行われるプロジェクタにおいて、
前記制御部によってオンオフが切替えられる電子スイッチを有するＡＣ電源から前記電源回路へのバイパス回路をさらに備え、
前記シャッタが開かれたとき、前記機械的スイッチがオンへ切替えられ、前記シャッタが閉じられたとき、前記機械的スイッチがオフへ切替えられるように、前記シャッタが前記機械的スイッチに連結されると共に、前記シャッタの開閉状態を表す開状態信号及び閉状態信号が前記制御部に入力されるように構成され、
前記制御部は、前記通常モードのときに前記閉状態信号の入力を検知すると、前記ランプの消灯とクールダウン動作の開始とを行い、クールダウン動作の終了を待って前記電子スイッチをオフへ切替えて、前記電源回路への前記ＡＣ電源の電源供給を停止し、
前記制御部は、前記スタンバイモードのときに前記閉状態信号の入力を検知すると、その時点でクールダウン動作が終了している場合には、直ちに前記電子スイッチをオフへ切替えて、前記電源回路への前記ＡＣ電源の電源供給を停止し、逆にその時点でクールダウン動作が継続中である場合には、クールダウン動作の終了を待って前記電子スイッチをオフへ切替えて、前記電源回路への前記ＡＣ電源の電源供給を停止することを特徴とするプロジェクタ。
【請求項２】
外部から入力される画像データとランプからの光に基づいて実画像を形成する画像形成手段と、
前記画像形成手段により形成された実画像を前方のスクリーン上に投射する画像投射手段と、
前記ランプを冷却するためのファンと、
前記画像投射手段による投射光が出射される筐体に開けられた投射孔と、
前記投射孔に設けられユーザによって開閉されるシャッタと、
コンセントからのＡＣ電源を所定の電圧に変換して前記画像形成手段、画像投射手段及び前記ファンに供給する電源回路と、
前記ランプの点灯・消灯を制御すると共に前記ファンの回転・停止を制御し、前記ランプを消灯した後に前記ファンを継続して回転させてランプのクールダウン動作を行わせる制御部と、
前記コンセントからのＡＣ電源の前記電源回路へのオンオフを切替える機械的スイッチとを備え、
前記機械的スイッチがオフに切替えられたときに、前記制御部によって前記ランプのクールダウン動作が行われるプロジェクタにおいて、
前記制御部によってオンオフが切替えられる電子スイッチを有するＡＣ電源から前記電源回路へのバイパス回路をさらに備え、
前記シャッタが開かれたとき、前記機械的スイッチがオンへ切替えられ、前記シャッタが閉じられたとき、前記機械的スイッチがオフへ切替えられるように、前記シャッタが前記機械的スイッチに連結されると共に、前記シャッタの開閉状態を表す開状態信号及び閉状態信号が前記制御部に入力されるように構成され、
前記制御部は、前記閉状態信号の入力を検知すると、前記ランプの消灯とクールダウン動作の開始とを行い、クールダウン動作の終了を待って前記電子スイッチをオフへ切替えて、前記電源回路への前記ＡＣ電源の電源供給を停止することを特徴とするプロジェクタ。
【請求項３】
前記制御部によるクールダウン動作は、前記ランプの消灯から一定の時間だけ前記ファンを回転させることであることを特徴とする請求項２に記載のプロジェクタ。
【請求項４】
前記制御部によるクールダウン動作は、前記ランプの消灯時のランプの温度に応じた長さの時間だけ前記ファンを回転させることであることを特徴とする請求項２に記載のプロジェクタ。
【請求項５】
前記制御部によるクールダウン動作は、前記ランプの温度が所定の温度に低下するまで前記ファンを回転させることであることを特徴とする請求項２に記載のプロジェクタ。
【発明の詳細な説明】
【技術分野】
【０００１】
本発明は、ランプからの高輝度の光によって画像を投射するプロジェクタに関し、特に、画像投射孔にユーザが手動で開閉操作するシャッタを備えたプロジェクタに関する。
【背景技術】
【０００２】
ランプからの高輝度の光によって画像を前方のスクリーンに投射するプロジェクタでは、画像投射中にランプが高温になるので、ランプの近傍に冷却（クールダウン）用のファンが設けてある。
【０００３】
また、ランプの光が出射される筐体に開けられた投射孔には、投射孔に嵌められたレンズの表面が傷つくことを防止するために、ユーザによって開閉自在なシャッタ（レンズキャップ）が設けられる。
【０００４】
一方、シャッタを閉じたままランプを点灯すれば、投射熱によってシャッタが変形又は溶融してしまう虞があるために、シャッタが閉じた状態ではランプが点灯しないように図ったプロジェクタ又はスライド映写機が知られている（例えば、特許文献１、特許文献２及び特許文献３参照）。
【０００５】
また、沈胴式の投写レンズを備えたプロジェクタにおいて、操作を簡便化するために、レンズカバーが開放されれば、それに連動して投写レンズが前方へ繰り出されるようにしたプロジェクタが知られている（例えば、特許文献４参照）。
【特許文献１】特開２００２−２７１７１７号公報
【特許文献２】特開２０００−１１２０２９号公報
【特許文献３】特開昭６３−１８７１３３号公報
【特許文献４】特開２００３−２９３３２号公報
【発明の開示】
【発明が解決しようとする課題】
【０００６】
上記特許文献１乃至特許文献３のように、シャッタの開閉動作とランプの点灯・消灯制御を連動させて、シャッタが閉じられた状態ではランプが点灯しないようにすれば、ランプからの高輝度の光によってシャッタが変形又は溶融してしまうトラブルを回避することができる。
【０００７】
また、上記特許文献１、特許文献２及び特許文献４に示されたように、シャッタの開閉動作とプロジェクタ本体の電源スイッチのオンオフ動作も連動させれば、電源の切り忘れも防止でき便利である。
【０００８】
一方、上述のように一定時間点灯したランプは相当の高温になり、ランプ消灯後にも継続するファンの回転によるクールダウン動作は、安全上必要である。ところが、シャッタと電源スイッチを単純に機械的に連結しただけでは、シャッタを閉じれば、電源供給が停止されてランプが消灯すると共に、冷却用のファンも停止されてしまうので、ランプの充分なクールダウンが行われないという問題がある。
【０００９】
そこで、本発明は、画像投射孔にユーザが手動で開閉操作するシャッタを備えたプロジェクタにおいて、ユーザがシャッタを閉じさえすればランプが消灯されると共に電源の供給も停止され、ユーザにとって便利である上に、ランプの消灯後のクールダウン動作も確実に行われるプロジェクタを提供することを目的とする。
【課題を解決するための手段】
【００１０】
上記目的を達成するために請求項１の発明は、外部から入力される画像データとランプからの光に基づいて実画像を形成する画像形成手段と、前記画像形成手段により形成された実画像を前方のスクリーン上に投射する画像投射手段と、前記ランプを冷却するためのファンと、前記画像投射手段による投射光が出射される筐体に開けられた投射孔と、前記投射孔に設けられユーザによって開閉されるシャッタと、コンセントからのＡＣ電源を所定の電圧に変換して前記画像形成手段、画像投射手段及び前記ファンに供給する電源回路と、前記ランプの点灯・消灯を制御すると共に前記ファンの回転・停止を制御し、前記ランプを消灯した後に前記ファンを継続して回転させてランプのクールダウン動作を行わせる制御部と、前記コンセントからのＡＣ電源の前記電源回路へのオンオフを切替える機械的スイッチと、前記機械的スイッチがオンに切替えられて前記電源回路にコンセントからのＡＣ電源が供給されている状態で、リモコン又は本体に設けられたモード切替キーからのモード切替信号を検知したときに、前記ランプが点灯された通常モードと、前記ランプが消灯されたスタンバイモードとの間で状態を切替えるモード切替手段とを備え、前記機械的スイッチがオフに切替えられたとき、及び前記モード切替手段によってスタンバイモードに切替えられたときに、前記制御部によって前記ランプのクールダウン動作が行われるプロジェクタにおいて、前記制御部によってオンオフが切替えられる電子スイッチを有するＡＣ電源から前記電源回路へのバイパス回路をさらに備え、前記シャッタが開かれたとき、前記機械的スイッチがオンへ切替えられ、前記シャッタが閉じられたとき、前記機械的スイッチがオフへ切替えられるように、前記シャッタが前記機械的スイッチに連結されると共に、前記シャッタの開閉状態を表す開状態信号及び閉状態信号が前記制御部に入力されるように構成され、前記制御部は、前記通常モードのときに前記閉状態信号の入力を検知すると、前記ランプの消灯とクールダウン動作の開始とを行い、クールダウン動作の終了を待って前記電子スイッチをオフへ切替えて、前記電源回路への前記ＡＣ電源の電源供給を停止し、前記制御部は、前記スタンバイモードのときに前記閉状態信号の入力を検知すると、その時点でクールダウン動作が終了している場合には、直ちに前記電子スイッチをオフへ切替えて、前記電源回路への前記ＡＣ電源の電源供給を停止し、逆にその時点でクールダウン動作が継続中である場合には、クールダウン動作の終了を待って前記電子スイッチをオフへ切替えて、前記電源回路への前記ＡＣ電源の電源供給を停止することを特徴とする。
【００１１】
請求項２の発明は、外部から入力される画像データとランプからの光に基づいて実画像を形成する画像形成手段と、前記画像形成手段により形成された実画像を前方のスクリーン上に投射する画像投射手段と、前記ランプを冷却するためのファンと、前記画像投射手段による投射光が出射される筐体に開けられた投射孔と、前記投射孔に設けられユーザによって開閉されるシャッタと、コンセントからのＡＣ電源を所定の電圧に変換して前記画像形成手段、画像投射手段及び前記ファンに供給する電源回路と、前記ランプの点灯・消灯を制御すると共に前記ファンの回転・停止を制御し、前記ランプを消灯した後に前記ファンを継続して回転させてランプのクールダウン動作を行わせる制御部と、前記コンセントからのＡＣ電源の前記電源回路へのオンオフを切替える機械的スイッチとを備え、前記機械的スイッチがオフに切替えられたときに、前記制御部によって前記ランプのクールダウン動作が行われるプロジェクタにおいて、前記制御部によってオンオフが切替えられる電子スイッチを有するＡＣ電源から前記電源回路へのバイパス回路をさらに備え、前記シャッタが開かれたとき、前記機械的スイッチがオンへ切替えられ、前記シャッタが閉じられたとき、前記機械的スイッチがオフへ切替えられるように、前記シャッタが前記機械的スイッチに連結されると共に、前記シャッタの開閉状態を表す開状態信号及び閉状態信号が前記制御部に入力されるように構成され、前記制御部は、前記閉状態信号の入力を検知すると、前記ランプの消灯とクールダウン動作の開始とを行い、クールダウン動作の終了を待って前記電子スイッチをオフへ切替えて、前記電源回路への前記ＡＣ電源の電源供給を停止することを特徴とする。
【００１２】
請求項３の発明は、請求項２に記載の発明において、前記制御部によるクールダウン動作は、前記ランプの消灯から一定の時間だけ前記ファンを回転させることであることを特徴とする。
【００１３】
請求項４の発明は、請求項２に記載の発明において、前記制御部によるクールダウン動作は、前記ランプの消灯時のランプの温度に応じた長さの時間だけ前記ファンを回転させることであることを特徴とする。
【００１４】
請求項５の発明は、請求項２に記載の発明において、前記制御部によるクールダウン動作は、前記ランプの温度が所定の温度に低下するまで前記ファンを回転させることであることを特徴とする。
【発明の効果】
【００１５】
本発明によれば、画像投射孔にユーザが手動で開閉操作するシャッタを備えたプロジェクタにおいて、電源をオンオフするための機械的スイッチとシャッタとが連結されて、ユーザがシャッタを閉じさえすればランプが消灯されると共に電源の供給も停止され、ユーザにとって便利である上に、ランプの消灯後のクールダウン動作が確実に行われ、安全上の問題が発生することも防止できる。
【発明を実施するための最良の形態】
【００１６】
以下、本発明の一実施形態に係るプロジェクタについて、図１乃至図３を参照して説明する。本実施形態のプロジェクタ１は、図２に示すように、筐体２の正面に投射光が出射される投射孔３を有し、この投射孔３にレンズ４（画像投射手段）が嵌められている。そして、投射孔３の前方には、ユーザの手動操作によって左右にスライド移動自在なシャッタ５が設けられ、シャッタ５が図２の左方へ開放されたときには投射孔３の全面が開放され、シャッタ５が右方へ閉じられたときには投射孔３の全面が閉塞され、レンズ４の表面への埃の付着や、レンズ４の表面の傷つきが生じないようになっている。
【００１７】
筐体２の内部には、接続されたパソコン等の外部機器から入力される画像データを実画像に変換するＤＭＤ（Ｄｉｇｉｔａｌ  Ｍｉｃｒｏｍｉｒｒｏｒ  Ｄｅｖｉｃｅ）等の画像形成手段（不図示）を備えている。画像投射手段により形成された実画像は、上記のレンズ４により前方のスクリーン上に投射される。ランプ６の近傍には冷却用のファン７が備えられている。
【００１８】
筐体２の内部に格納された回路の構成について、さらに、図１を参照して説明する。すなわち、筐体２の内部には、コンセントからのＡＣ電源８を、種々の大きさの電圧に変換して、画像形成手段、ランプ６を含む画像投射手段等の負荷９、及びマイクロコンピュータからなる制御部１１に供給する電源回路１２が備えられている。ランプ６、ファン７及び種々の負荷９は、実際にはそれぞれ電圧の異なった２次側回路に接続され、適合する電圧を供給されるようになっているが、図１においては、これらの回路を便宜的に簡略化して１つの回路１３で示している。
【００１９】
ランプ６の２次側回路への接続スイッチ１４と、ファン７の２次側回路への接続スイッチ１５は、そのオンオフがそれぞれ制御部１１によって制御され、制御部１１によってランプ６の点灯・消灯が制御され、ファン７の回転・停止が制御される。
【００２０】
制御部１１には、プロジェクタ１の本体に設けたモード切替キー１６と、リモコン１７からの指令信号の受光部１８が接続され、モード切替キー１６又はリモコン１７上のモード切替キー１９がユーザによって操作されることによって、ランプ６が点灯された通常モードと、ランプ６が消灯されたスタンバイモードとの間でプロジェクタ１の運転状態が切替えられるようになっている。通常モードとスタンバイモードについては、後述する動作説明のなかで詳細に説明する。
【００２１】
電源回路１２とＡＣ電源８を接続する１次側回路には、その接続をオンオフする機械的スイッチ２１が設けられ、この機械的スイッチ２１は、シャッタ５に直接連結されて、シャッタ５が開かれたときに（図２の状態）、オンへ切替えられ、シャッタ５が閉じられたときに、オフへ切替えられる。機械的スイッチ２１には、例えばリーフスイッチ、タクトスイッチ等が用いられる。電源回路１２とＡＣ電源８を接続する１次側回路には、さらに、制御部１１によってオンオフが切替えられる電子スイッチ２２を有するバイパス回路２４が設けられている。電子スイッチ２２には、例えばトランジスタ回路等が用いられる。
【００２２】
また、機械的スイッチ２１と制御部１１とが接続ライン２３により電気的に接続されて、機械的スイッチ２１のオンオフ状態が信号として制御部１１へ入力され、制御部１１はシャッタ５の開閉状態を検知できるようになっている。つまり、シャッタ５が開かれると、機械的スイッチ２１が連動してオンへ切替えられ、そのオン状態を示す信号が制御部１１へ入力されることによって、制御部１１は、シャッタ５の開状態を検知し、シャッタ５が閉じられると、機械的スイッチ２１が連動してオフへ切替えられ、そのオフ状態を示す信号が制御部１１へ入力されることによって、制御部１１は、シャッタ５の閉状態を検知する。
【００２３】
制御部１１には、プロジェクタ１全体の動作を制御するプログラムが格納されており、ユーザによるシャッタ５の開閉操作や、モード切替キー１６、１９の操作のタイミングに応じて、それぞれ次のように動作する。
【００２４】
図３（ａ）乃至図３（ｄ）に示したタイミングチャートを参照して、主にプロジェクタ１の稼動を停止する場合について説明する。すなわち、今、シャッタ５が開けられ、機械的スイッチ２１がオンに切替えられてＡＣ電源８が電源回路１２に接続されており、通常モードが選択されているとすると、制御部１１は、シャッタ５が開状態であることを検知するので、ランプ６とファン７の接続スイッチ１４、１５を共にオンにして、ランプ６を点灯し、ファン７を回転させる。また、制御部１１は、電子スイッチ２２をオンに切替え、画像形成手段等の負荷９に対しても制御信号を出力して適正に制御する。この状態を通常モードの稼動状態という。
【００２５】
この通常モードの稼動状態から、ユーザがある時点でシャッタ５を閉じると（図３（ａ））、機械的スイッチ２１がオフに切替えられ、制御部１１は、シャッタ５が閉じられたことを検知するので、ランプ６の接続スイッチ１４をオフに切替えてランプ６を消灯すると共に、制御部１１内のタイマＴで計時される所定の時間（例えば３分間）だけファン７を継続して回転させてクールダウン動作Ｃを行う。クールダウン動作Ｃが終了すれば、電子スイッチ２２をオフへ切替えて、電源回路１２へのＡＣ電源８の電源供給を停止する。このように機械的スイッチ２１がオフに切替えられても、電子スイッチ２２はクールダウン動作Ｃが終了するまでオンのままなのでクールダウン動作Ｃが適正に実行され、ランプ６及びその周囲が充分に冷却される。
【００２６】
次に、通常モードの稼動状態から、ユーザがある時点で本体又はリモコン１７のモード切替キー１６、１９を操作した場合には（図３（ｂ））、制御部１１は、モード切替信号の入力に応じて、プロジェクタ１をスタンバイモードに切替える。すなわち、制御部１１は、ランプ６の接続スイッチ１４をオフに切替えてランプ６を消灯すると共に、制御部１１内のタイマＴによる所定時間のファン回転（クールダウン動作Ｃ）を開始させる。クールダウン動作Ｃが終了した後（ファン７が停止した後）、ユーザがある時点でシャッタ５を閉じると、機械的スイッチ２１がオフに切替えられ、制御部１１は、シャッタ５が閉じられたことを検知するので、直ちに電子スイッチ２２をオフへ切替えて電源回路１２へのＡＣ電源８の電源供給を停止する。この場合もクールダウン動作Ｃが適正に実行され、ランプ６及びその周囲が充分に冷却される。
【００２７】
次に、通常モードの稼動状態から、ユーザがモード切替キー１６、１９を操作してスタンバイモードに切替えた後、クールダウン動作Ｃが終了する前にシャッタ５が閉じられた場合について説明する。すなわち、図３（ｃ）に示したように、スタンバイモードに切替えられた後、クールダウン動作Ｃ中（制御部１１のタイマＴによる計時中）に、ユーザがシャッタ５を閉じると、その時点で機械的スイッチ２１はオフに切替えられ、制御部１１は、シャッタ５が閉じられたことを検知するが、直ちに電子スイッチ２２をオフへ切替えるのではなく、クールダウン動作Ｃが終了するのを待って（タイマＴがタイムアップするのを待って）、電子スイッチ２２をオフへ切替える。したがって、この場合もクールダウン動作が適正に実行され、ランプ６及びその周囲が充分に冷却される。
【００２８】
このようにスタンバイモードに切替えられたときには、モードの切替時点を起点にしてクールダウン動作Ｃが行われるので（図３（ｂ）、図３（ｃ））、スタンバイモードに切替えられた後は、シャッタ５が閉じられた時点を起点にした新たなクールダウン動作は行われない。つまり、図３（ｂ）に示した場合であれば、シャッタ５が閉じられた時点でクールダウン動作Ｃは終了しているので、新たなクールダウンダウン動作を行うことなく、直ちに電子スイッチ２２がオフへ切替えられ、図３（ｃ）に示した場合であれば、シャッタ５が閉じられた時点では既にクールダウン動作Ｃが継続中であるので、そのクールダウン動作Ｃの終了を待って電子スイッチ２２がオフへ切替えられる。したがって、クールダウン動作Ｃが終了するまでのユーザの待ち時間が最小に抑えられる。
【００２９】
また、通常モード稼動状態から、ユーザがモード切替キー１６、１９を操作してスタンバイモードに切替えた後、シャッタ５を閉じることなく、ユーザが再びモード切替キー１６、１９を操作してモードを切替えた場合について、図３（ｄ）を参照して説明する。
【００３０】
すなわち、２回目のモード切替キー１６、１９の操作時点が、クールダウン動作Ｃの終了後であれば、制御部１１は、直ちにランプ６の接続スイッチ１４をオンに切替えてランプ６を点灯させると共に、ファン７の接続スイッチ１５をオンに切替えてファン７を回転させ、通常モード稼動状態に復帰させる（図３（ｄ））。２回目のモード切替キー１６、１９の操作時点が、クールダウン動作Ｃの終了前であれば、制御部１１は、そのクールダウン動作Ｃの終了を待ってランプ６の接続スイッチ１４をオンに切替えてランプ６を点灯させると共に、ファン７の接続スイッチ１５をオンに切替えてファン７を回転させる。
【００３１】
なお、本実施形態では、クールダウン動作Ｃは、制御部１１内のタイマＴによって計時される一定時間だけファン７を回転させることによって行われるが、クールダウン動作Ｃは、次に示す構成で行うこともできる。
【００３２】
すなわち、ランプ６の近傍に温度センサを設け、その温度センサによって検出したランプ６の温度が、温度データとして制御部１１に入力されるように構成し、制御部１１のメモリには、温度データに応じた必要冷却時間のテーブルを予め格納しておく。そして、制御部１１は、ランプ６の消灯時（クールダウン動作開始時）に入力される温度データ（ランプ温度）に対応した必要冷却時間を決定し、その時間に基づいてクールダウン動作時間を計時するようにする。この構成であれば、ランプ６の消灯時のランプ６の温度がより高温であれば、より長くクールダウン動作が行われて、ランプ６の冷却が充分に行われ、ランプ６の消灯時のランプ６の温度が比較的低い温度であれば、より短い時間だけクールダウン動作が行われて、ユーザの待ち時間を短縮することができる。
【００３３】
また、制御部１１は、ランプ６が消灯された以後（クールダウン動作Ｃの開始後）ランプ６の近傍の温度センサからの温度データを継続的に検知するように構成し、クールダウン動作Ｃが進行してランプ６が所定の低い温度にまで低下すれば、その時点でファン７の回転を停止するようにしてもよい。この構成であれば、ランプ６が所定の温度に低下するまで過不足なくファン７の回転（クールダウン）が継続され、ランプ６の所定温度までの冷却が確実に行われると共に、クールダウン動作時間が最小限に抑えられ、ユーザの待ち時間が最小限に抑えられる。
【００３４】
さらに、本実施形態では、機械的スイッチ２１と制御部１１が接続ライン２３により電気的に接続され、機械的スイッチ２１のオンオフ状態が信号として制御部１１へ入力されることによって、制御部１１は、間接的にシャッタ５の開閉状態を検知するようになっているが、シャッタ５の開閉を検知する別のスイッチ又はセンサを設けて、そのスイッチ又はセンサからの信号が制御部１１に入力されるように構成して、制御部１１がより直接的にシャッタ５の開閉状態を検知できるようにしてもよい。また、機械的スイッチ２１の電源回路１２側の電圧を検知する電圧センサを設けて、この電圧センサからの電圧信号を制御部１１に入力することによって、機械的スイッチ２１のオンオフ状態を制御部１１へ入力するようにしてもよい。
【図面の簡単な説明】
【００３５】
【図１】本発明の一実施形態に係るプロジェクタのブロック回路図。
【図２】同プロジェクタの正面図。
【図３】（ａ）は同プロジェクタにおいて通常モードからシャッタを閉じて停止する場合のタイミングチャート、（ｂ）は同プロジェクタにおいてスタンバイモードからクールダウン後にシャッタを閉じて停止する場合のタイミングチャート、（ｃ）は同プロジェクタにおいてスタンバイモードからクールダウン中にシャッタを閉じて停止する場合のタイミングチャート、（ｄ）は同プロジェクタにおいてスタンバイモードからクールダウン後に通常モードに戻す場合のタイミングチャート。
【符号の説明】
【００３６】
１  プロジェクタ
２  筐体
３  投射孔
４  レンズ（画像投射手段）
５  シャッタ
６  ランプ
７  ファン
８  ＡＣ電源
１１  制御部
１２  電源回路
１４  接続スイッチ
１５  接続スイッチ
１６  モード切替キー
１７  リモコン
１９  モード切替キー
２１  機械的スイッチ
２２  電子スイッチ
２４  バイパス回路
Ｃ  クールダウン動作
【図１】
2007171885.tif 000003
【図２】
2007171885.tif 000004
【図３】
2007171885.tif 000005